(57)【特許請求の範囲】
【請求項１】
第１上位デバイスにおいて、第２上位デバイスと協力して下位デバイスと通信する、中継に使用される方法であって、
ｉ．データ情報を前記下位デバイスに送信するために、前記第２上位デバイスの送信命令情報を決定するステップであって、該送信命令情報は、事前にセットされたサブフレーム内で該下位デバイスに該データ情報を送信するように該第２上位デバイスに命令する、ステップと、
ｉｉ．前記第２上位デバイスに前記送信命令情報を提供するステップと、
ｉｉｉ．前記事前にセットされたサブフレームのダウンリンク制御情報部分内で前記下位デバイスに直接に制御情報を送信するステップであって、前記制御情報は、該事前にセットされたサブフレーム内で少なくとも前記第２上位デバイスから前記データ情報を受信するように該下位デバイスに命令する、ステップと、
を含み、
前記ステップｉは、
−  前記第１上位デバイスから前記下位デバイスへの送信用の第１チャネルの情報および前記第２上位デバイスから該下位デバイスへの送信用の第２チャネルの情報を入手するステップと、
−  前記第１チャネルの前記情報および前記第２チャネルの前記情報に従って、前記データ情報をプリコーディングするために前記第２上位デバイスのプリコーディング方式を決定するステップと、
をさらに含み、
前記送信命令情報は、前記プリコーディング方式を含み、
前記ステップｉｉは、
−  前記第２上位デバイスに前記データ情報を提供するステップ、
をさらに含み、
前記送信命令情報は、前記下位デバイスに前記データ情報を送信するのに前記第２上位デバイスによって使用される、前記事前にセットされたサブフレーム内の副搬送波および／またはタイム・スロットの情報をさらに含み、
前記制御情報は、前記副搬送波および／またはタイム・スロット上で前記データ情報を受信するように前記下位デバイスに命令する、
方法。
【請求項２】
前記制御情報は、ユーザ固有基準信号に基づいて前記データ情報を受信するように前記下位デバイスにさらに命令する、請求項１に記載の方法。
【請求項３】
前記プリコーディング方式は、前記下位デバイスによって受信される前記データ情報の信号を、前記第１チャネルの利得を表すものにする、請求項１に記載の方法。
【請求項４】
前記制御情報は、繰返しを示す情報、および／または同期情報、および／またはブロードキャスト情報、および／またはパケット・データ制御情報を含み、前記ステップｉｉｉは、
−  前記セル固有基準信号を前記制御情報と一緒に前記下位デバイスに送信するステップ
を含む、請求項１に記載の方法。
【請求項５】
第２上位デバイスにおいて、第１上位デバイスと協力して下位デバイスと通信する、中継に使用される方法であって、
Ｉ．事前にセットされたサブフレーム内で前記下位デバイスにデータ情報を送信するように前記第２上位デバイスに命令する送信命令情報を入手するステップと、
ＩＩ．前記第１上位デバイスが前記事前にセットされたサブフレームのダウンリンク制御情報部分内で前記下位デバイスに制御情報を送信する時に、沈黙を守る、または前記第１上位デバイスによって送信されるものと同一の制御情報を送信するステップと、
ＩＩＩ．前記事前にセットされたサブフレーム内で前記下位デバイスに前記データ情報を送信するステップと、
ａ．前記データ情報をプリコーディングするプリコーディング方式を決定するステップと、
を含み、
前記ステップＩは、
−  前記第１上位デバイスから前記送信命令情報を受信するステップと、
−  前記第１上位デバイスから前記データ情報を受信するステップと、
を含み、
前記ステップＩＩＩは、
−  前記副搬送波および／または前記タイム・スロット上で前記下位デバイスに前記データ情報を送信するステップと、
−  前記データ情報を送信する前に、前記プリコーディング方式に従って前記データ情報をプリコーディングするステップと、
を含み、
前記送信命令情報は、
前記データ情報を送信するのに前記第２上位デバイスによって使用される、前記事前にセットされたサブフレーム内の副搬送波および／またはタイム・スロットの情報をさらに含む方法。
【請求項６】
前記ステップＩＩＩは、
−  前記データ情報の信号をユーザ固有基準信号と一緒に前記下位デバイスに送信するステップ
をさらに含む、請求項５に記載の方法。
【請求項７】
前記プリコーディング方式は、前記下位デバイスによって受信される前記データ情報の前記信号を、第１チャネルの利得を表すものにし、前記送信命令情報は、前記第１チャネルの情報を含み、前記ステップａは、
−  前記下位デバイスから前記第２上位デバイスへの送信用のチャネルの情報に従って第２チャネルの情報を決定するステップと、
−  前記第１チャネルの前記情報および前記第２チャネルの前記情報に従って、前記第２上位デバイスが前記データ情報をプリコーディングするための前記プリコーディング方式を決定するステップと
をさらに含む、請求項５に記載の方法。
【発明の詳細な説明】
【技術分野】
【０００１】
本発明は、無線通信システムに関し、より具体的には、無線リレー・ネットワーク（ｗｉｒｅｌｅｓｓ  ｒｅｌａｙ  ｎｅｔｗｏｒｋ）に関する。
【背景技術】
【０００２】
ＬＴＥ−Ａｄｖａｎｃｅｄリレー・テクノロジは、リレー局がＲｅｌｅａｓｅ  ８のユーザ機器（ＵＥと省略される）に後方互換性を提供することを要求する、すなわち、ＬＴＥ−Ａｄｖａｎｃｅｄリレー方式は、ＵＥに対する変更を全く伴わずにＲｅｌｅａｓｅ  ８のレガシＵＥをサポートしなければならず、その場合に、結果的に次のような技術的難問がある。
【０００３】
第１に、レガシＵＥは、リレーを考慮せずに設計され、したがって、リレー局の存在を知ることができず、これがＬＴＥ−Ａｄｖａｎｃｅｄのリレーの設計のむずかしさを増やす。
【０００４】
第２に、リレーの概念が導入される時に、いくつかのアップリンク／ダウンリンク・サブフレームまたはタイム・スロットが、基地局とリレー局との間のバックホール・リソースのために予約されなければならない。リレー局が基地局からデータを受信する時に、そのようなサブフレームまたはタイム・スロットは、空白に保たれ、これをＵＥにシンボルまたはデータを送信するのに使用することはできないが、現在のＲｅｌｅａｓｅ  ８は、各サブフレームが基準シンボルを含むと仮定し、ＵＥは、複数の基準シンボルを補間し／平均をとることによって時間周波数グリッド全体においてチャネルを推定し、チャネル推定における雑音を減らす。ＵＥが、空白になるように事前にセットされたダウンリンク・サブフレームで基準シンボルを測定する時には、０値が測定されると期待され、これは、チャネル推定全体の誤りまたは失敗をもたらす。
【０００５】
第３に、ＨＡＲＱ（Ｈｙｂｒｉｄ  Ａｕｔｏｍａｔｉｃ  Ｒｅｐｅａｔ  ｒｅＱｕｅｓｔ）機構の下では、データ伝送およびＡＣＫ／ＮＡＣＫフィードバックが、固定されたタイミング関係を有する。一部のアップリンク／ダウンリンク・サブフレームまたはタイム・スロットが、バックホール用に予約され、ＵＥによって使用され得ないので、これは、送信者が符号語を送信した後に、予期されるサブフレームまたはタイム・スロットでの対応するＡＣＫ／ＮＡＣＫフィードバックの送信が、受信器側によって送信されず、その結果、送信者側でフィードバックが受信されないことを引き起こす可能性がある。ＡＣＫ／ＮＡＣＫ衝突は、不必要な再送信などの非効率的な動作を引き起こす可能性がある。そのような頻繁な「非アクセス」サブフレームは、ＨＡＲＱ送信とＡＣＫ／ＮＡＣＫフィードバックとの間の固定されたタイミング関係を保つための大きな困難につながる。さらに、各無線フレーム（１周期について１０ｍｓ）内に、ＦＤＤシステムのサブフレーム＃０、＃４、＃５、および＃９、ならびにＴＤＤシステムのサブフレーム＃０、＃１、＃５、および＃９は、ＵＥのＰ−ＢＣＨ（ｐｒｉｍａｒｙ  ｂｒｏａｄｃａｓｔ  ｃｈａｎｎｅｌ）、Ｐ−ＳＣＨ（Ｐｒｉｍａｒｙ  Ｓｙｎｃｈｒｏｎｉｚａｔｉｏｎ  Ｃｈａｎｎｅｌ）、Ｓ−ＳＣＨ（Ｓｅｃｏｎｄａｒｙ  Ｓｙｎｃｈｒｏｎｉｚａｔｉｏｎ  Ｃｈａｎｎｅｌ）などを搬送し、したがって、リレー・バックホール・リンクに使用することはできず、そのような制限は、ＨＡＲＱタイミングを維持するためのさらなる困難を引き起こす。
【０００６】
現在、そのダウンリンク部分が図１に示された、フェイクＭＢＳＦＮサブフレーム・リレー法がある。この図では、バックホール中に、ＲＮは、いくつかのダウンリンク・サブフレームをＵＥに向けたダウンリンクＭＢＳＦＮサブフレームとして構成し、そのサブフレーム内でｅＮＢからデータ情報を受信する。ＵＥは、ｅＮＢとＵＥとの間のチャネル推定にＭＢＳＦＮサブフレームから受信された基準信号を使用せず、したがって、ＲＮは、これらのサブフレームによってｅＮＢと通信することができ、この通信は、ＵＥのチャネル推定に影響しない。ＵＥと通信する時には、ＲＮは、ＲＮのセル固有基準信号（ＲＮ  ＣＲＳと省略される）を基礎としてＰＤＣＣＨ（Ｐａｃｋｅｔ  Ｄｅｄｉｃａｔｅｄ  Ｃｏｎｔｒｏｌ  Ｃｈａｎｎｅｌ）の情報およびＰＨＩＣＨ（Ｐｈｙｓｉｃａｌ  ＨＡＲＱ  Ｉｎｄｉｃａｔｏｒ  Ｃｈａｎｎｅｌ）情報を送信し、これは、レガシＵＥに、ＲＮをｅＮＢとして識別させ、ＲＮ  ＣＲＳが付随するデータ信号を受信させる。ＲＮは、アップリンク送信のために正しいスケジューリングによっていくつかのアップリンク・サブフレームを空白にし、バックホール・リンクとアクセス・リンクとの両方は、同一の既存ＴＤＤアップリンク／ダウンリンク構成すなわち、同一のダウンリンク・サブフレームおよびアップリンク・サブフレーム割当、同一のＨＡＲＱタイミング、および同一のダウンリンク許可関連付けを用いて動作する。
【０００７】
フェイクＭＢＳＦＮサブフレーム・リレー法は、いくつかの欠陥を有する（Ｒ１−０９０８２７）。第１に、ＵＥは、ＭＢＳＦＮサブフレームとして構成されたサブフレームを推定せず、これは、推定の連続性および完全性に影響する。第２に、ＴＤＤタイム・スロット構成は、アクセス・リンクの効率およびこの方法の通信の性能に影響し、たとえば、アップリンク・サブフレームがＲＮからｅＮＢへのバックホール・リンク送信に使用される時に、アクセス・リンク内のサブフレームは、「ＭＢＳＦＮ」として構成され、空白にされなければならない。その結果、ダウンリンク・データがダウンリンク・サブフレームで送信された後に、アップリンク・サブフレームでのＵＥからのダウンリンク・データＨＡＲＱのフィードバックを、ＲＮによって受信することはできず、このフィードバックは、元々はＲＮによって受信されることが期待され、そのようなＨＡＲＱフィードバック消失は、時間周波数リソースの浪費につながる、すなわち、ダウンリンク・サブフレームは、ＰＤＳＣＨを送信することができない。図２に示されたＴＤＤ構成４は、一例と考えられ、ここでは、サブフレーム＃０、＃１、＃５、および＃６のＨＡＲＱフィードバックは、Ｒｅｌ−８仕様に従ってサブフレーム＃２または＃３のいずれかで搬送される。フェイクＭＢＳＦＮサブフレーム法が使用中である時には、サブフレーム＃２または＃３のうちの少なくとも１つがバックホール・リンクによって使用されなければならないので、ＵＥのうちの少なくとも１つからのＨＡＲＱフィードバックを、ダウンリンク・データを送信するのに＃０、＃１、＃５、および＃６のサブフレームを使用するＲＮによって受信することはできない。
【０００８】
さらに、ＴＤＤ構成０およびＴＤＤ構成５は、ＴＤＤリレーに適用可能ではない。というのは、構成０について、サブフレーム＃０、＃１、＃５、および＃６を、Ｐ−ＢＣＨ、Ｐ−ＳＣＨ、およびＳ−ＳＣＨに起因してＭＢＳＦＮに使用することができず、構成５について、アップリンク・サブフレーム＃２だけを占有することができないからである。
【０００９】
さらに、Ｒ１−０９１４０３は、ＲＮによって支援されるデータ再送信の方法であって、基地局は、データ信号をＵＥに直接に送信し、ＲＮは、同時に、基地局から送信されたデータ信号を監視し、そのデータ信号を復調し、復号し、その後、オリジナル情報を復元し、ＵＥが基地局から受信されたデータ信号を不正に復調し、復号する時には、基地局は、ＨＡＲＱルールに従ってそのデータ信号をＵＥに再送信し、ＲＮは、同時に、オリジナル情報に対応し、基地局によって送信されたものと同一のフォーマットを有するデータ信号を生成し、その後、このデータ信号は、ＵＥに送信され、基地局およびＲＮによって送信されるデータ信号は、空間内でオーバーラップし、これが、ＵＥに、はるかに高い確率でオリジナル情報を正しく復調させ、復号させる、方法を提供する。
【００１０】
この解決策は、いくつかの欠陥を有する（３ＧＰＰ  ＲＡＮ１  ＃５６ｂｉｓ、２００９年３月）。この解決策は、一般にリレー通信法のリレー・リンクの高次の変調およびコーディングによるリレー利得の入手ではなく、データを再送信するためのＨＡＲＱの支援に限定され、さらに、統計によれば、ＨＡＲＱサービスの３０％以下のみが再送信を必要とし、したがって、この解決策の実利効率はより低い。さらに、リレー無線ネットワークに関して、基地局とＵＥとの間のチャネル品質は、通常は悪いが、Ｒ１−９１４０３解決策では、基地局は、低次のコーディングおよび変調を仮定しなければならないシナリオでは悪いチャネルによってＵＥと通信しなければならず、したがって、ＲＮとＵＥとの間の通信は、基地局も使用する低次の通信モードを仮定しなければならず、したがって、この通信方法に基づく容量は、より少ない。
【先行技術文献】
【非特許文献】
【００１１】
【非特許文献１】Ｒ１−０９０８２７
【非特許文献２】Ｒ１−０９１４０３
【非特許文献３】３ＧＰＰ  ＲＡＮ１  ＃５６ｂｉｓ、２００９年３月
【発明の概要】
【発明が解決しようとする課題】
【００１２】
明らかに、ＲＮが導入される時には、既存ＵＥを変更しないリレー方法を提案することが非常に有利である。リレー方法が、リレー・チャネル内でＵＥによるデータ信号の正しい受信を保証することが不可避であり、データ送信およびフィードバック再送信の同一の時間シーケンス関係も、リレー方法によって保証されなければならず、このリレー方法は、ＨＡＲＱ再送信機構をサポートし、リソースの浪費を減らさなければならない。
【課題を解決するための手段】
【００１３】
本発明の一態様では、第１上位デバイス内で、第２上位デバイスと協力して下位デバイスと通信する方法が提供され、この方法は、ｉｉｉ．事前にセットされた時間単位内に前記下位デバイスに直接に制御情報を送信するステップであって、前記制御情報は、前記事前にセットされた時間単位内に少なくとも前記第２上位デバイスからデータ情報を受信するように前記下位デバイスに命令する、ステップを含む。
【００１４】
好ましくは、リレー・テクノロジの少なくとも１つの上記の要件を満足するために、この方法は、ｉ．前記データ情報を前記下位デバイスに送信するために、前記第２上位デバイスの送信命令情報を決定するステップであって、前記送信命令情報は、前記事前にセットされた時間単位内に前記下位デバイスに前記データ情報を送信するように前記第２上位デバイスに命令する、ステップと、ｉｉ．前記第２上位デバイスに前記送信命令情報および前記データ情報を提供するステップとをさらに含む。
【００１５】
本発明の第２の態様では、第２上位デバイス内で、第１上位デバイスと協力して下位デバイスと通信する方法が提供され、この方法は、Ｉ．事前にセットされた時間単位内に前記下位デバイスにデータ情報を送信するように前記第２上位デバイスに命令する送信命令情報を入手するステップと、ＩＩ．前記第１上位デバイスが前記事前にセットされた時間単位内に前記下位デバイスに制御情報を送信する時に、沈黙を守る、または前記第１上位デバイスによって送信されるものと同一の制御情報を送信するステップと、ＩＩＩ．前記事前にセットされた時間単位内に前記下位デバイスに前記データ情報を送信するステップとを含む。
【００１６】
好ましくは、リレー・テクノロジの少なくとも１つの上記の要件を満足するために、前記ステップＩは、前記第１上位デバイスから前記送信命令情報を受信するステップをさらに含む。
【００１７】
本発明の第３の態様では、第１上位デバイス内で、第２上位デバイスと協力して下位デバイスと通信する装置が提供され、この装置は、事前にセットされた時間単位内に前記下位デバイスに直接に制御情報を送信するように構成された制御手段を含み、前記制御情報は、前記事前にセットされた時間単位内に少なくとも前記第２上位デバイスからデータ情報を受信するように前記下位デバイスに命令する。
【００１８】
好ましくは、リレー・テクノロジの少なくとも１つの上記の要件を満足するために、この装置は、前記データ情報を前記下位デバイスに送信するために、前記第２上位デバイスの送信命令情報を決定するように構成された決定手段であって、前記送信命令情報は、前記事前にセットされた時間単位内に前記下位デバイスに前記データ情報を送信するように前記第２上位デバイスに命令する、決定手段と、前記第２上位デバイスに前記送信命令情報を提供するように構成された提供手段とをさらに含む。
【００１９】
本発明の第４の態様では、第２上位デバイス内で、第１上位デバイスと協力して下位デバイスと通信する装置が提供され、この装置は、事前にセットされた時間単位内に前記下位デバイスにデータ情報を送信するように前記第２上位デバイスに命令する送信命令情報を入手するように構成された入手手段と、前記事前にセットされた時間単位内に前記下位デバイスに前記データ情報を送信するように構成された送信器とを含み、この装置は、前記第１上位デバイスが前記事前にセットされた時間単位内に前記下位デバイスに制御情報を送信する時に沈黙を守る、または、前記第１上位デバイスによって送信されるものと同一の制御情報を送信するように構成された制御手段を含む。
【００２０】
好ましくは、リレー・テクノロジの少なくとも１つの上記の要件を満足するために、前記入手する手段は、前記第１上位デバイスから前記送信命令情報を受信するようにさらに構成される。
【００２１】
本発明のもう１つの態様によれば、第１上位デバイスおよび第２上位デバイスが協力して下位デバイスと通信する通信調整デバイス内の方法が提供され、この方法は、前記第２上位デバイスが下位デバイスにデータ情報を送信することに関する送信命令情報を決定するステップであって、送信命令情報は、事前にセットされた時間単位内に前記下位デバイスにデータ情報を送信するように前記第２上位デバイスに命令する、ステップと、送信命令情報を第２上位デバイスに提供し、決定された結果を第１上位デバイスに知らせるステップとを含む。第１上位デバイスおよび第２上位デバイスが協力して下位デバイスと通信する対応する通信調整デバイス内の装置も提供され、この装置は、前記第２上位デバイスが前記下位デバイスに前記データ情報を送信するための送信命令情報を決定するように構成された決定手段であって、前記送信命令情報は、前記事前にセットされた時間単位内に前記下位デバイスに前記データ情報を送信するように前記第２上位デバイスに命令する、決定手段と、前記送信命令情報を前記第２上位デバイスに提供し、決定された結果を第１上位デバイスに知らせる提供手段とを含む。
【００２２】
本発明の実施形態によれば、異なる上位デバイスは、それぞれ制御シグナリングおよびデータ情報を送信する責任を負い、これは、システムの柔軟性を高め、たとえば、第１基地局は、低周波数搬送波によって制御信号のためにより大きいカバレージを入手するが、第２基地局は、高周波数搬送波によるデータ情報のより高いスループットを入手する。本発明の第１または第２の基地局あるいは通信協力デバイスは、協力制御の責任を負うことができる。さらに、本発明の実施形態は、ＵＥの大きな変更を必要とせず、優れた後方互換性を有する。
【００２３】
本発明のリレー・テクノロジの好ましい実施形態によれば、基地局は、各サブフレーム内で基準信号を送信し、この基準信号を基礎として、ＵＥは、チャネルを完全に推定することができ、基地局は、制御シグナリング、たとえば、再送信フィードバック情報を各ダウンリンク・サブフレーム内でＵＥに直接に送信することができ、これは、データ送信と再送信フィードバックとの間の同一の時間シーケンス関係を保証し、ＨＡＲＱ再送信機構をサポートし、リソースの浪費を減らす。さらに、好ましい実施形態は、それでも、ＲＮがユーザ固有基準信号（ＵＲＳと省略される）またはプリコーディングを基礎としてデータ情報を送信することを提示し、これは、ＵＥが正しくデータ情報を受信することを引き起こすと同時に、ＵＥについて変更が不要であり、本発明は、優れた後方互換性を有する。
【００２４】
上で述べたおよび他で指定される特徴、目的、および利益は、添付図面を参照する非限定的な実施形態の詳細な説明を読むことによってより明白になるであろう。
【図面の簡単な説明】
【００２５】
【図１】既存のフェイクＭＢＳＦＮサブフレーム・リレー法のダウンリンク・リレー通信を示す概略図である。
【図２】ＴＤＤ構成４を示す概略図である。
【図３】本発明の実施形態に基づくダウンリンク・リレー通信を示す概略図である。
【図４】ＵＥとのリレー通信のためにＲＮと協力するｅＮＢ内のデバイス１を示す、本発明のもう１つの実施形態に基づくブロック図である。
【図５】ＵＥとのリレー通信のためにｅＮＢと協力するＲＮ内のデバイス２を示す、本発明のもう１つの実施形態に基づくブロック図である。
【発明を実施するための形態】
【００２６】
添付図面では、同一のまたは同様の符号は、同一のまたは同様の要素を示す。
【００２７】
第１実施形態
本発明の実施形態の一態様によれば、第１上位デバイスおよび第２上位デバイスが協力して下位デバイスと通信する方法は、下のように指定される。
【００２８】
この実施形態では、第１基地局デバイスｅＮＢ１および第２基地局デバイスｅＮＢ２は、協力してＵＥと通信する。
【００２９】
まず、ｅＮＢ２は、送信命令情報を入手し、この送信命令情報は、事前にセットされたサブフレーム内でＵＥにデータ情報を送信するようにｅＮＢ２に命令する。
【００３０】
１つのシナリオでは、送信命令情報は、ｅＮＢ１によって提供され、
ｅＮＢ１は、ｅＮＢ２が事前にセットされたサブフレーム内でＵＥにデータ情報を送信すると決定し、
その後、ｅＮＢ１は、対応する命令情報をｅＮＢ２に送信する。
【００３１】
もう１つのシナリオでは、送信命令情報は、サード・パーティ通信調整デバイスによって提供され、
・通信調整デバイスは、ｅＮＢ２が事前にセットされたサブフレーム内でＵＥにデータ情報を送信すると決定し、
・その後、通信調整デバイスは、対応する命令情報をｅＮＢ２に送信し、決定された結果を第１上位デバイスに知らせる。
【００３２】
その後、ｅＮＢ１は、事前にセットされたサブフレームのダウンリンク制御情報部分内でＵＥに直接に制御情報を送信し、この制御情報は、事前にセットされたサブフレーム内でｅＮＢ２からデータ情報を受信するようにＵＥに命令する。
【００３３】
その間に、ｅＮＢ２は、制御信号の干渉を避けるために沈黙を守り、あるいは、信号オーバーラップのある種の利益を生むために、ｅＮＢ１が送信したものと同一の制御信号を送信する。
【００３４】
その後、ｅＮＢ２は、事前にセットされたサブフレーム内でＵＥにデータ情報を送信する。その間に、ｅＮＢ１は、好ましくは、信号オーバーラップのある種の利益を生むために、同時に同一のデータ情報をＵＥに送信する。好ましくは、ｅＮＢ１は、沈黙を守ることができる。好ましくは、ｅＮＢ１は、周波数再利用の利益を得るために他のユーザのために働くことができる。
【００３５】
ＵＥは、受信されたデータ信号を検出し、オリジナル・データ情報を復元する。
【００３６】
本発明のこの態様の実施形態によれば、２つの基地局は、それぞれ制御シグナリングおよびデータ情報をＵＥに送信し、同期化の時および一方の基地局の制御シグナリングによって制御される時に、ユーザは、他方の基地局からデータ情報を受信することができる。１つの通常の例は、第１基地局が低周波数搬送波によって制御信号のためにより大きいカバレージを入手するが、第２基地局が高周波数搬送波によるデータ情報のより高いスループットを入手することである。当業者は、本発明のこの態様が、それぞれ制御シグナリングおよびデータ情報を同一の形で送信するために２つのリレー局に適用可能であり、それぞれ制御シグナリングおよびデータ情報を送信するために基地局およびリレー局にも適用可能であることを了解することができる。
【００３７】
リレー・テクノロジに関して、本発明は、下の第２実施形態によって説明される好ましい技術的解決策を提供する。
【００３８】
第２実施形態
本発明の実施形態によれば、ＬＴＥ−Ａプロトコルに基づくリレー・ネットワーク内でＲＮがｅＮＢからＵＥにデータ情報をリレーするプロセスは、下のように指定される。述べられるシナリオが、本発明を限定せず、本発明が、それでも、他のプロトコルおよびリレー・シナリオに適用可能であり、たとえば、ＲＮ２が、データ情報をＲＮ１からＵＥにリレーすることを了解されたい。
【００３９】
まず、Ｓ１のステップでは、スケジューリングによって、ｅＮＢは、ＲＮからＵＥへデータ情報を送信するのに使用される事前にセットされたサブフレームを決定し、たとえば、ｅＮＢは、ダウンリンク・サブフレーム＃２でＵＥにデータ情報を送信するようにＲＮをスケジューリングする。好ましくは、ｅＮＢは、さらに、ＲＮからＵＥへデータ情報を送信するのに使用されるダウンリンク・サブフレーム＃２内の副搬送波、タイム・スロットなどを決定する。
【００４０】
その後、Ｓ２のステップでは、ｅＮＢは、制御チャネル、たとえばＰＤＣＣＨを介してＲＮにｅＮＢによってスケジューリングされた結果として送信命令情報を送信し、この送信命令情報は、ＲＮがその上でデータ情報を送信する、事前にセットされたダウンリンク・サブフレーム＃２、副搬送波、およびタイム・スロットである。ｅＮＢによって送信される情報、たとえばＰＤＣＣＨ、ＰＨＩＣＨに、ｅＮＢのセル固有基準信号（ＣＲＳと省略される）が付随することを了解されたい。
【００４１】
第１実施形態で示されたものに似て、通信調整デバイスは、スケジューリングによってＲＮからＵＥにデータ情報を送信するのに使用される事前にセットされたサブフレームを決定し、対応する送信命令情報をＲＮに知らせ、スケジューリング結果をｅＮＢに知らせることもできることを了解されたい。
【００４２】
その後、ｅＮＢは、同一サブフレーム内でＣＲＳが付随するＰＤＳＣＨによってＲＮにデータ情報を送信する。
【００４３】
同時に、ステップＳ３で、ＲＮは、ｅＮＢから送信命令情報を受信し、データ情報をＵＥに送信する。
【００４４】
その後、ステップＳ４で、ｅＮＢは、制御情報、たとえばＳＣＨ、ＢＣＨ、およびＰＤＣＣＨを次のサブフレーム＃２内でＵＥに直接に送信する。ＰＤＣＣＨは、現在のサブフレームのある副搬送波およびあるタイム・スロット内でデータ情報を受信するようにＵＥに命令する命令情報を含む。また、ＰＤＣＣＨは、ユーザ固有基準信号（ＵＲＳと省略される）を基礎としてデータ情報を受信するようにＵＥに命令する命令情報を含む。同時に、ＲＮは、沈黙を守り、ＣＲＳ、ＰＣＤＣＨ、ＳＣＨ、ＢＣＨなどの送信を許可せず、別のシナリオでは、ＲＮは、ｅＮＢによって送信されたものと同一の制御信号を送信し、これは、信号オーバーラップのある種の利益を生む。
【００４５】
したがって、ＵＥがｅＮＢによって送信された制御情報を受信した後に、ＵＥは、ダウンリンク・サブフレーム＃２のある副搬送波およびタイム・スロット内でＵＲＳを基礎としてデータ情報を受信しなければならないことを知る。
【００４６】
Ｓ５のステップでは、ＲＮは、ダウンリンク・サブフレーム＃１内でｅＮＢによって供給された送信命令情報を基礎として、ダウンリンク・サブフレーム＃２内の決定された副搬送波およびタイム・スロット内でＵＥにデータ情報を送信する。
【００４７】
具体的に言うと、ＵＥによって実行されるＲＮからＵＥへのダウンリンク・チャネルの正しい推定のために、ＲＮは、アンテナ・ポート５を介してデータ情報を搬送するＰＤＳＣＨを送信する。アンテナ・ポート５は、１つのユーザ固有基準信号であり、ビーム・フォーミングに使用される１つの基準信号であり、現在のすべてのＵＥが、あらかじめこの基準信号の形を知っている。好ましくは、第１基地局デバイスｅＮＢ１は、信号オーバーラップのある種の利益を生むためにＲＮによってＵＥに送信されるものと同一のデータ情報を同時に送信することができる。好ましくは、第１基地局デバイスｅＮＢ１は、沈黙を守ることができる。好ましくは、第１基地局デバイスｅＮＢ１は、周波数再利用の利益を得るために他のユーザのために同時に働くことができる。
【００４８】
したがって、Ｓ６のステップでは、ＵＥは、ＲＮによって送信されるＰＤＳＣＨのＵＲＳを受信し、測定することによって、推定のひずみを全く伴わずにＲＮからＵＥへのチャネルを正確に推定することができる。チャネル推定の後に、ＵＥは、ＰＤＳＣＨのデータ情報をよりよく復調でき、復号でき、その後、成功してオリジナル・データを復元することができる。
【００４９】
この実施形態によれば、ｅＮＢは、低周波数搬送波によって制御信号のためにより大きいカバレージを入手するが、ＲＮは、高周波数搬送波によるデータ情報のより高いスループットを入手し、これは、柔軟性を高め、リレー・ネットワークの通信容量を増やす。
【００５０】
上のダウンリンク・サブフレーム＃１とダウンリンク・サブフレーム＃２との両方で、基地局デバイスｅＮＢが、ｅＮＢのセル固有基準信号ＣＲＳが付随するＳＣＨ信号、ＢＣＨ信号、ＰＤＣＣＨ信号、ＰＨＩＣＨ信号、およびＰＤＳＣＨ信号を送信できることを了解されたい。ＵＥは、ＣＲＳを基礎としてｅＮＢからＵＥへの各サブフレームのチャネルの品質推定を入手することができ、これは、フレーム全体に関するチャネル推定の連続性を保証する。さらに、フェイクＭＢＳＦＮサブフレーム・リレー法のＵＥによるサブフレーム推定を伴わないＭＢＳＦＮサブフレーム構成と比較して、この実施形態は、より完全なチャネル推定を得ることができる。
【００５１】
具体的に言うと、ＵＥは、プリコーディング・アップリンク・サブフレーム内でＨＡＲＱアップリンク信号を送信し、アップリンク信号のＨＡＲＱ  ＡＣＫ／ＮＡＣＫフィードバック情報は、ダウンリンク・サブフレーム＃１またはダウンリンク・サブフレーム＃２内でＵＥにフィードバックされなければならない。基地局デバイスｅＮＢは、ダウンリンク・サブフレーム＃１またはダウンリンク・サブフレーム＃２のＰＨＩＣＨチャネル内でＵＥにフィードバック情報を送信し、したがって、ＨＡＲＱデータの送信および再送信フィードバックの同一の時間シーケンス関係が保証される。時間の展望から、先行するアップリンク・サブフレーム内で、ＵＥは、ＨＡＲＱデータをＲＮに送信し、基地局デバイスｅＮＢから直接にＡＣＫ／ＮＡＣＫ情報を受信することを期待する。ＲＮがアップリンク・サブフレーム内でアップリンク・データを受信した後に、そのデータは、次の第１サブフレーム内で復号され、その後、次の第２サブフレーム内で基地局デバイスｅＮＢに転送され、そのデータは、次の第３サブフレーム内に基地局デバイスｅＮＢによって復号され、受信が正しいか否かを示すＡＣＫ／ＮＡＣＫフィードバックは、次の第４サブフレームすなわちダウンリンク・サブフレーム＃１またはダウンリンク・サブフレーム＃２内でＵＥに送信され、全体の待ち時間は４ｍｓであり、これは、ＬＴＥ−Ａで指定された要件すなわち、必要な最小時間が４ｍｓである、を満足する。したがって、ＵＥが期待されるサブフレーム内にＡＣＫ／ＮＡＣＫフィードバックを受信することが、実現可能である。
【００５２】
この実施形態では、ＵＥがＲＮからＰＤＳＣＨデータ情報を受信するが、ＵＥは、それでも、ＳＣＨ、ＢＣＨ、ＰＤＣＣＨ、および他の制御信号を基地局デバイスｅＮＢから受信し、ｅＮＢのＣＲＳによって基地局デバイスｅＮＢからＵＥへのチャネルを推定する。１つのシナリオでは、基地局デバイスｅＮＢは、そのｅＮＢによって管理されるＵＥおよび他のユーザ・デバイスに制御情報を送信し、ＲＮは、沈黙を守り、制御情報、たとえばＣＲＳを一切送信せず、したがって、ＲＮは、セルＩＤを有しておらず、ＣＲＳ干渉を減らし、ＲＮは、ＳＣＨ、ＢＣＨ、およびＰＤＣＣＨを全く送信せず、したがって、制御シグナリングの干渉は、特にＢＣＨおよびＰＤＣＣＨの干渉について減らされ、もう１つのシナリオでは、ＲＮは、基地局デバイスｅＮＢが送信したものと同一の制御信号を送信し、これは、信号オーバーラップのある種の利益を生む。ＵＥの展望から、ＵＥは、基地局デバイスｅＮＢの存在を知覚することだけができ、ＲＮは、透明のデバイスと考えられる。ＵＥがｅＮＢからＲＮへのハンドオーバー手順または逆転されたハンドオーバー手順を経験することは、必要ではない。
【００５３】
この実施形態では、基地局デバイスｅＮＢは、そのｅＮＢによって管理されるセル内のすべてのＲＮおよびＵＥを中央でスケジューリングし、制御する。ＲＮは、スケジューリング機能および制御機能を有しておらず、ｅＮＢの決定に従うのみである。基地局デバイスｅＮＢは、どのサブフレーム、どのタイム・スロット、およびどの副搬送波がデータ情報の送信に使用されるのかを決定し、ＲＮに知らせ、どのサブフレーム、どのタイム・スロット、およびどの副搬送波がデータ情報の受信に使用されるのかをＵＥに知らせ、データ情報は、あらかじめＲＮに送信される。コーディングおよび変調方式は、チャネル状況に従って基地局デバイスｅＮＢによって決定される。この中央制御方法は、協力リレーを実現するのが簡単である。
【００５４】
複数のＬＴＥ−Ａ  ＴＤＤ構成のみに適用可能である既存のフェイクＭＢＦＳＮサブフレーム・リレー法と比較して、この方法は、ＬＴＥ−Ａ  ＦＤＤ構成およびすべてのＴＤＤ構成に適用可能であり、したがって、より良い後方互換性を有する。さらに、フェイクＭＢＦＳＮサブフレーム・リレー法では、ｅＮＢ→ＲＮ送信のために予約されるサブフレームごとに、１フレーム内の少なくとも４つのシンボルが浪費され、ここで、２つのシンボルは、ＲＮダウンリンク送信に使用され、もう２つのシンボルは、ギャップに使用される。この実施形態は、そのような不必要な浪費を回避する。さらに、フェイクＭＢＦＳＮサブフレーム・リレー法では、少なくとも４つのダウンリンク・サブフレームを構成しなければならない。したがって、ダウンリンク・サブフレームがバックホール・リンクのために使用可能ではないシナリオが、発生する可能性がある。この実施形態には、そのような制限はなく、さらに、ｅＮＢ→ＵＥの送信およびＲＮ→ｅＮＢの送信を、１つのサブフレーム内で同時に実行することができる。
【００５５】
上の実施形態では、ＲＮは、アンテナ・ポート５のＵＲＳを送信し、これによって、ＵＥは、ＲＮからＵＥへのダウンリンク・チャネルのチャネル推定を実行し、その後、ＲＮからＵＥへのデータ情報を、正しく復調し、復号することができる。もう１つのシナリオでは、ＲＮは、ＵＲＳを送信するのではなく、データ情報をプリコーディングすることによって、ＲＮからＵＥへのダウンリンク・チャネルの影響を打ち消す。
【００５６】
ＵＥは、ｓ’がＵＥに達する時にＲＮがｓ’をＨ１×ｓにする場合に、基地局デバイスｅＮＢによって送信されるＣＲＳによって基地局デバイスｅＮＢからＵＥへのチャネル状況、たとえば、利得行列Ｈ１を検出できるので（ｓ’は、ＲＮがオリジナル・データ情報ｓを処理した後にＲＮによって生成される）、既にＨ１に対する正しい推定を実行し終えたＵＥは、オリジナル信号を復調し、得ることができる。
【００５７】
この目標を達成するために、ＲＮは、Ｈ１およびＲＮからＵＥへの第２チャネルの情報に従ってデータ情報をプリコーディングすることができ、プリコーディング方式は、ＵＥによって受信されるデータ情報の信号を、第１チャネルの利得を表すものにする。一実施形態では、信号ｓ’の送信を、次の式によって定義することができる。
【００５８】
【数１】
0005319838.tif 000002
【００５９】
ここで、Ｈ２は、第２チャネルのチャネル利得行列を表す、すなわち、プリコーディング行列は、
【００６０】
【数２】
0005319838.tif 000003
である。
【００６１】
したがって、チャネルでの伝搬の後に、ＵＥによって受信されるデータ情報は、ｒである。
【００６２】
【数３】
0005319838.tif 000004
【００６３】
ここで、ｎは、第２チャネルの雑音を表す。
【００６４】
好ましくは、第１基地局ｅＮＢ１は、データ信号ｓをＵＥに同時に送信することができ、ＵＥは、ｒ＋Ｈ１×ｓ＋ｎ’という信号を受信し、これによって、信号オーバーラップのある利益がもたらされる。
【００６５】
一実施形態では、基地局デバイスｅＮＢは、基地局デバイスｅＮＢからＵＥへの第１チャネルの情報Ｈ１を測定し、送信するようにＵＥに命令し、その後、ＵＥは、基地局デバイスｅＮＢのＣＲＳを基礎としてＨ１を測定し、入手する。基地局デバイスｅＮＢは、送信命令情報としてチャネル情報Ｈ１をＰＤＣＣＨによってＲＮに送信する。ＲＮは、ＵＥからＲＮへのアップリンク信号に従ってアップリンク・チャネルを推定し、チャネルの対称性を基礎としてＲＮからＵＥへの第２チャネルの情報Ｈ２を決定する。その後、ＲＮは、プリコーディング方式
【００６６】
【数４】
0005319838.tif 000005
を決定することができる。
【００６７】
同様に、もう１つの実施形態では、基地局デバイスｅＮＢは、ＵＥによって測定されたチャネル情報Ｈ１を入手し、基地局デバイスｅＮＢは、それでも、Ｈ２を入手するために第２チャネル（特定の副搬送波およびタイム・スロット）の信号品質を強制的に測定するようにＵＥに命令する。１つのシナリオでは、基地局デバイスｅＮＢは、送信命令情報としてＨ１およびＨ２をＲＮに送信し、その後、ＲＮは、プリコーディング方式
【００６８】
【数５】
0005319838.tif 000006
を計算し、入手し、もう１つのシナリオでは、基地局デバイスｅＮＢは、プリコーディング方式
【００６９】
【数６】
0005319838.tif 000007
を計算し、入手し、プリコーディング方式ｆｐｒｅｃｏｄｉｎｇは、送信命令情報としてＲＮに送信される。
【００７０】
本発明の方法実施形態は、上で指定され、本発明の装置実施形態は、下で指定される。
【００７１】
第３実施形態
この実施形態では、第１基地局デバイスｅＮＢ１および第２基地局デバイスｅＮＢ２が、協力してＵＥと通信する。第１基地局デバイスｅＮＢ１は、ｅＮＢ２と協力してＵＥと通信するのに使用される装置１を含み、この装置は、制御手段１２を含み、好ましくは、決定手段１０および提供手段１１をさらに含む。第２基地局デバイスｅＮＢ２は、ｅＮＢ１と協力してＵＥと通信するのに使用される装置２を含み、この装置は、入手手段２０および送信器２１を含む。もう１つのシナリオでは、ネットワークは、それでも、サード・パーティ通信調整デバイスを有し、このサード・パーティ通信調整デバイスは、ＵＥと通信するために第１基地局デバイスｅＮＢ１および第２基地局を調整するのに使用される装置３を含み、この装置は、決定手段３０および提供手段３１を含む。
【００７２】
まず、第２基地局デバイスｅＮＢ２の入手手段２０は、送信命令情報を入手し、この送信命令情報は、データ情報を事前にセットされたサブフレーム内でＵＥに送信するように第２基地局デバイスｅＮＢ２に命令する。
【００７３】
１つのシナリオでは、送信命令情報は、第１基地局デバイスｅＮＢ１によって提供され、
・第１基地局デバイスｅＮＢ１の決定手段１０は、第２基地局デバイスｅＮＢ２は、事前にセットされたサブフレーム内でＵＥにデータ情報を送信すると決定する。
・その後、第１基地局デバイスｅＮＢ１の提供手段１１は、対応する命令情報を第２基地局デバイスｅＮＢ２に送信する。
【００７４】
もう１つのシナリオでは、送信命令情報は、サード・パーティ通信調整デバイスによって提供され、
・通信調整デバイスの決定手段３０は、第２基地局デバイスｅＮＢ２は、第２基地局デバイスｅＮＢ２が事前にセットされたサブフレーム内でＵＥにデータ情報を送信すると決定し、
その後、通信調整デバイスの提供手段３１は、対応する命令情報を第２基地局デバイスｅＮＢ２に送信し、決定された結果を第１上位デバイスに知らせる。
【００７５】
次に、第１基地局デバイスｅＮＢ１の制御手段１２は、事前にセットされたサブフレームのダウンリンク制御情報部分内でＵＥに直接に制御情報を送信し、この制御情報は、事前にセットされたサブフレームのダウンリンク・データ情報部分内で第２基地局デバイスｅＮＢ２からデータ情報を受信するようにＵＥに命令する。
【００７６】
同時に、第２基地局デバイスｅＮＢ２は、制御信号の干渉を回避するために沈黙を守り、あるいは、その制御手段２２は、第１基地局デバイスｅＮＢ１が送信したものと同一の制御信号を送信し、これは、信号オーバーラップのある種の利益をもたらす。
【００７７】
その後、第２基地局デバイスｅＮＢ２の送信器２１は、事前にセットされたサブフレーム内でＵＥにデータ情報を送信する。好ましくは、第１基地局デバイスｅＮＢ１の送信器１３は、ｅＮＢ２によって送信されたものと同一のデータ情報を同時にＵＥに送信し、これは、信号オーバーラップのある種の利益をもたらす。
【００７８】
ＵＥは、ＵＥによって受信されたデータ信号を検出し、その後、オリジナル情報を復元する。
【００７９】
本発明のこの態様の実施形態によれば、２つの基地局デバイスは、それぞれ制御シグナリングおよびデータ情報を送信し、同期化の時および一方の基地局によって制御される時に、ユーザは、他方の基地局のデータを受信することができる。１つの顕著な例は、第１基地局が低周波数搬送波によって制御信号のためにより大きいカバレージを入手するが、第２基地局が高周波数搬送波によるデータ情報のより高いスループットを入手することである。当業者は、本発明のこの態様が、それぞれ制御シグナリングおよびデータ情報を同一の形で送信するために２つのリレー局にも適用可能であり、それぞれ制御シグナリングおよびデータ情報を送信するために基地局およびリレー局にも適用可能であることを了解することができる。
【００８０】
リレー・テクノロジに関して、本発明は、下の第４実施形態によって説明される好ましい技術的解決策を提供する。
【００８１】
第４実施形態
本発明の実施形態によれば、ＲＮがデータ情報を基地局デバイスｅＮＢからＵＥにリレーするリレー・プロセスは、下のように詳細に指定される。第１基地局デバイスｅＮＢ１は、図４に示されているようにＲＮと協力してＵＥと通信する装置１を有し、この装置は、制御手段１２を含み、好ましくは、決定手段１０および提供手段１１をさらに含む。ＲＮは、ｅＮＢ１と協力してＵＥと通信する装置２を含み、この装置は、入手手段２０および送信器２１を含み、好ましくは、プリコーディング方式決定手段２２をさらに含む。
【００８２】
まず、スケジューリングによって、ｅＮＢの決定手段１０は、ＵＥにデータ情報を送信するのにＲＮによって使用される事前にセットされたサブフレーム、たとえばダウンリンク・サブフレーム＃２を決定する。好ましくは、決定手段１０は、さらに、ＵＥにデータ情報を送信するのにＲＮによって使用されるダウンリンク・サブフレーム＃２の副搬送波およびタイム・スロットを決定する。
【００８３】
その後、制御チャネル、たとえば基地局デバイスｅＮＢのＰＤＣＣＨを介して、提供手段１１は、ダウンリンク・サブフレーム＃１内でＲＮに送信命令情報を送信し、この送信命令情報は、ＲＮによって送信されるデータ情報の事前にセットされたダウンリンク・サブフレーム＃２、副搬送波、およびタイム・スロットの、ｅＮＢによってスケジューリングされた結果である。基地局デバイスｅＮＢによって送信される情報、たとえばＰＤＣＣＨ、ＰＨＩＣＨに、ＣＲＳが付随することを了解されたい。
【００８４】
第３実施形態に似て、スケジューリングによって、通信調整デバイスも、やはりＵＥにデータ情報を送信するのにＲＮによって使用される特定のサブフレームを決定し、対応する送信命令情報をＲＮに知らせ、スケジューリング結果を基地局デバイスｅＮＢに知らせることができることを了解されたい。
【００８５】
次に、同一のサブフレーム内で、提供手段１１は、そのＣＲＳが付随するＰＤＳＣＨを介してデータ情報をＲＮに送信する。
【００８６】
同時に、ＲＮの入手手段２０は、基地局デバイスｅＮＢによって送信された送信命令情報と、ＵＥに送信されるデータ情報とを受信する。
【００８７】
その後、次のダウンリンク・サブフレーム＃２内で、基地局デバイスｅＮＢの制御手段１２は、制御情報、たとえばＳＣＨ、ＢＣＨ、ＰＤＣＣＨをＵＥに直接に送信する。ＰＤＣＣＨは、現在のサブフレームのある副搬送波およびタイム・スロット内でデータ情報を受信するようにＵＥに命令する命令情報を含む。さらに、ＰＤＣＣＨは、ユーザ固有基準信号（ＵＳＲと省略される）を基礎としてデータ情報を受信するようにＵＥに命令する命令情報を含む。同時に、ＲＮは、沈黙を守り、ＣＲＳ、ＰＣＤＣＨ、ＳＣＨ、ＢＣＨなどの送信を許可せず、もう１つのシナリオでは、ＲＮの制御手段２２は、第１基地局ｅＮＢ１によって送信されるものと同一の制御信号を送信し、これは、信号オーバーラップのある種の利益をもたらす。
【００８８】
したがって、ＵＥが、基地局デバイスｅＮＢによって送信される制御情報を受信した後に、ＵＥは、ダウンリンク・サブフレーム＃２のある副搬送波およびタイム・スロット内のＵＲＳを基礎として、データ情報が受信されることを知る。
【００８９】
ＲＮの送信器２１は、ダウンリンク・サブフレーム＃１内で基地局デバイスｅＮＢによって提供された送信命令情報に従って、ダウンリンク・サブフレーム＃２内の決定された副搬送波およびタイム・スロットを介してＵＥにデータ情報を送信する。
【００９０】
具体的に言うと、ＵＥによって実行されるＲＮからＵＥへのダウンリンク・チャネルの正しい推定のために、ＲＮは、アンテナ・ポート５を介してデータ情報を搬送するのに使用されるＰＤＳＣＨを送信する。アンテナ・ポート５は、ユーザ固有基準信号であり、ビーム・フォーミングに使用される基準信号であり、現在のすべてのＵＥが、あらかじめこの基準信号の形を知っている。好ましくは、第１基地局ｅＮＢ１の装置１は、送信器１３を含み、送信器１３は、ＵＲＳを基礎として、信号オーバーラップのある種の利益を生むためにＲＮによって送信されたものと同一のデータ情報をＵＥに送信する。好ましくは、第１基地局デバイスｅＮＢ１は、沈黙を守る。好ましくは、第１基地局デバイスｅＮＢ１は、周波数再利用の利益を得るために他のユーザのために同時に働くことができる。
【００９１】
したがって、ＵＥは、ＲＮによって送信されたＰＤＳＣＨのＵＲＳを受信し、測定することによって、推定のひずみを全く伴わずにＲＮからＵＥへのチャネルを正確に推定することができる。チャネル推定の後に、ＵＥは、ＰＤＳＣＨのデータ情報をよりよく復調でき、復号でき、その後、成功してオリジナル・データを復元することができる。
【００９２】
上の実施形態では、ＲＮは、アンテナ・ポート５のＵＲＳを送信し、これによって、ＵＥは、ＲＮからＵＥへのダウンリンク・チャネルのチャネル推定を実行し、その後、ＲＮからＵＥへのデータ情報を、正しく復調し、復号することができる。もう１つのシナリオでは、ＲＮは、ＵＲＳを送信するのではなく、データ情報をプリコーディングすることによって、ＲＮからＵＥへのダウンリンク・チャネルの影響を打ち消す。
【００９３】
ＵＥは、ｓ’がＵＥに達する時にＲＮがｓ’をＨ１×ｓにする場合に、基地局デバイスｅＮＢによって送信されるＣＲＳによって基地局デバイスｅＮＢからＵＥへのチャネル状況、たとえば利得行列Ｈ１を測定できるので（ｓ’は、ＲＮがオリジナル・データ情報ｓを処理した後にＲＮによって生成される）、既にＨ１に対する正しい推定を実行し終えたＵＥは、オリジナル信号ｓを復調し、得ることができる。
【００９４】
この目標を達成するために、ＲＮの送信器２１は、Ｈ１およびＲＮからＵＥへの第２チャネルの情報に従ってデータ情報をプリコーディングすることができ、プリコーディング方式は、ＵＥによって受信されるデータ情報の信号を、第１チャネルの利得を表すものにする。一実施形態では、信号ｓ’の送信を、次の式によって定義することができる。
【００９５】
【数７】
0005319838.tif 000008
【００９６】
ここで、Ｈ２は、第２チャネルのチャネル利得行列を表す、すなわち、プリコーディング行列は、
【００９７】
【数８】
0005319838.tif 000009
である。
【００９８】
したがって、チャネルでの伝搬の後に、ＵＥによって受信されるデータ情報は、ｒである。
【００９９】
【数９】
0005319838.tif 000010
【０１００】
ここで、ｎは、第２チャネルの雑音を表す。
【０１０１】
好ましくは、第１基地局ｅＮＢ１の送信器１３は、データ信号ｓをＵＥに同時に送信することができる。ＵＥは、ｒ＋Ｈ１×ｓ＋ｎ’という信号を受信し、これによって、信号オーバーラップのある種の利益がもたらされる。
【０１０２】
一実施形態では、基地局デバイスｅＮＢの決定手段１０は、基地局デバイスｅＮＢからＵＥへの第１チャネルの情報Ｈ１を測定し、送信するようにＵＥに命令する入手手段１００を含み、その後、ＵＥは、基地局デバイスｅＮＢのＣＲＳを基礎としてＨ１を測定し、入手する。基地局デバイスｅＮＢの提供手段１１は、送信命令情報としてチャネル情報Ｈ１をＰＤＣＣＨを介してＲＮに送信する。ＲＮプリコーディング方式の決定手段２３のチャネル決定手段２４０は、ＵＥからＲＮへのアップリンク信号に従ってアップリンク・チャネルを推定することができ、チャネルの対称性を基礎としてＲＮからＵＥへの第２チャネルの情報Ｈ２を決定する。その後、ＲＮプリコーディング方式の決定手段２４は、プリコーディング方式
【０１０３】
【数１０】
0005319838.tif 000011
を保証することができる。
【０１０４】
同様に、もう１つの実施形態では、基地局デバイスｅＮＢの決定手段１０は、ＵＥによって測定されたチャネル情報Ｈ１を入手する入手手段１００を含み、入手手段１００は、それでも、Ｈ２を入手するために第２チャネル（特定の副搬送波およびタイム・スロット）の信号品質を強制的に測定するようにＵＥに命令する。１つのシナリオでは、基地局ｅＮＢの制御手段１２は、送信命令情報としてＨ１およびＨ２をＲＮに送信し、ＲＮのプリコーディング決定手段２４は、プリコーディング方式
【０１０５】
【数１１】
0005319838.tif 000012
を計算し、入手し、もう１つのシナリオでは、基地局デバイスｅＮＢは、プリコーディング方式
【０１０６】
【数１２】
0005319838.tif 000013
を計算し、入手し、プリコーディング方式ｆｐｒｅｃｏｄｉｎｇは、送信命令情報としてＲＮに送信される。
【０１０７】
本発明の詳細な実施形態は、上で指定され、これらの特定の実施形態が、本発明を限定しないことと、任意の変形形態および修正形態が、当業者によって添付の特許請求の範囲の範囲の下で実行され得ることとを了解されたい。
【図１】
0005319838.tif 000014
【図２】
0005319838.tif 000015
【図３】
0005319838.tif 000016
【図４】
0005319838.tif 000017
【図５】
0005319838.tif 000018